(57)【特許請求の範囲】
【請求項１】
油分を含む濁水の油分除去装置であって、その一辺側から濁水が送り込まれる平面視矩形状の貯留槽と、この貯留槽内の濁水が送り込まれる一辺側に向けて取付けられ、下部を水面下に位置し上端が水面上に露出して浮上する油分を囲めるような枠状に形成される仕切板と、この仕切板の外側に配設される水出口と、この仕切板内の水面近傍に開口して油分を抜き取るための抜取口と、を備え、水出口は、下部を水面下に位置させかつ上端より上澄水が越流するように構成されて仕切板の外側を囲むように貯留槽内に配設される有底の集水溝と、この集水溝を越流してきた上澄水を槽外に排出する排出口とからなることを特徴とする濁水の油分除去装置。
【請求項２】
上記水出口は、下部を水面下に位置させかつ上端より上澄水が越流するように構成された集水溝と、この集水溝に越流した上澄水を槽外に排出する排出口、とからなることを特徴とする請求項１記載の濁水の油分除去装置。
【請求項３】
油分を含む濁水の処理装置であって、その一辺側から濁水が送り込まれる平面視矩形状の貯留槽と、この貯留槽内の濁水が送り込まれる一辺側に向けて取付けられ、下部を水面下に位置し上端が水面上に露出して浮上する油分を囲めるような枠状に形成される仕切板と、この仕切板の外側に配設される水出口と、この仕切板内の水面近傍に開口して油分を抜き取るための抜取口と、この抜取口の下流に設けられた油分の吸着部と、この吸着部を介して油分と分離された水を上記貯留槽に戻す分離水返送部と、を備え、水出口は、下部を水面下に位置させかつ上端より上澄水が越流するように構成されて仕切板の外側を囲むように貯留槽内に配設される有底の集水溝と、この集水溝を越流した上澄水を槽外に排出する排出口とからなることを特徴とする濁水の処理装置。
【発明の詳細な説明】
【０００１】
【発明の属する技術分野】
本発明は、水処理プラントにおいて、油分の混ざった濁水から油分を効果的に除去するための濁水の油分除去装置及び処理装置に関するものである。
【０００２】
【従来の技術】
一般に鉄道、自動車道等のトンネル掘削現場においては、各種の重機を使って坑内で作業を行っている。これら重機の整備の際や、油圧ホースの破損等によって、潤滑油や作動油が漏れる。漏れた潤滑油等は、濁水とともにポンプで坑外に排出され、トンネル掘削現場の近傍に設けられた濁水処理プラントに送られる。この濁水処理プラントに送り込まれた濁水中の油分は、濁水処理プラントである程度除去される。しかし、除去されなかった油分は、濁水処理プラントから放流処理水とともに浮遊して河川へ流れてしまうため、公害問題を引き起こす要因となっている。
【０００３】
そこで、従来は、濁水に含まれる油分を濁水処理プラントで除去するために、濁水の流れ込む原水槽およびシックナー（凝集槽）の表面に吸着マットを敷き詰め、この吸着マットによって、濁水の表面に浮遊している油分を吸着させ、除去していた。
【０００４】
【発明が解決しようとする課題】
しかし、原水槽およびシックナー内での濁水の流れのある場所では、浮遊する油分が流されて吸着マットによる吸着効果が悪かった。また、吸着マットは、飽和状態になると沈降するので常に管理しておかなければならず、その管理も面倒であった。
【０００５】
本発明は、上記のような点に鑑みて開発されたものである。その目的とするところは、濁水に混ざって浮遊している油分を簡単な構成によって効果的に除去できるようにした濁水の油分除去装置及び処理装置を提供することにある。
【０００６】
上記の目的を有効に達成するために、本発明は次のような構成にしてある。すなわち、本発明の濁水の油分除去装置は、油分を含む濁水の油分除去装置であって、濁水の貯留槽と、この貯留槽に設けた水出口と、下部を水面下に位置させかつ上記水出口の上流側を仕切る仕切板と、この仕切板を介して上流側の水面近傍に配設された油分の抜取口、とからなることを特徴とする構成にしてある。
【０００７】
請求項２記載の本発明の濁水の油分除去装置は、請求項１記載の濁水の油分除去装置の構成において、上記水出口は、下部を水面下に位置させかつ上端より上澄水が越流するように構成された集水溝と、この集水溝に越流した上澄水を槽外に排出する排出口、とからなることを特徴とする構成にしてある。
【０００８】
請求項３記載の本発明の濁水の処理装置濁は、油分を含む濁水の処理装置であって、濁水の貯留槽と、この貯留槽に設けた水出口と、下部を水面下に位置させかつ上記水出口の上流側を仕切る仕切板と、この仕切板を介して上流側の水面近傍に配設された油分の抜取口と、この抜取口の下流に設けられた油分の吸着部と、この吸着部を介して油分と分離された水を上記貯留槽に戻す分離水返送部、とからなることを特徴とする構成にしてある。
【０００９】
【発明の実施の形態】
本発明の実施の形態を図に基づいて説明する。
図１は本発明の濁水の油分除去装置を備えた凝集槽（貯留槽）の平面図、図２は図１の矢印Ａから見た説明図、図３は図１の矢印Ｂから見た説明図、図４は油分（黒矢印）と濁水（白矢印）の流れを示す凝集槽の説明図、図５は本発明の濁水の処理装置の説明図である。
【００１０】
上記の図１〜図４に示すように、１は本発明の濁水の油分除去装置２を備えた貯留槽の一例である凝集槽であり、３は凝集槽１の上流側に設けられた凝集反応槽であり、４は凝集槽１の一部に設けられ凝集反応槽３からの反応水を受ける反応水受槽である。
【００１１】
凝集反応槽３（図１、図２参照）は、流入する油分を含む濁水に凝集剤を投入して濁水中のコロイド状の汚泥と凝集剤とを反応させて、汚泥を沈降可能な塊状にする。そして油分および汚泥フロックを含む濁水が、反応水として反応水受槽４に送り込まれる。反応水受槽４に送り込まれた反応水は、油分除去装置２を設けた凝集槽部１ａに下方から送り込まれる。
【００１２】
凝集槽部１ａに送り込まれた反応水は、油分除去装置２によって油分が除去されることになると共に、汚泥フロックは下部に沈降し、図４に示すスクリュウコンベヤにより適宜、抜き取られることになる。
【００１３】
この油分除去装置２は、凝集槽部１ａ内の上部にコ字枠状に設けた仕切板５と、この仕切板５を介して反応水受槽４寄りの上流側の水面近傍に配設された油分の抜取口６と、凝集槽部１ａ内の仕切板５の外側に設けられた水出口７とによって構成されている。
【００１４】
仕切板５は、下部５ａを凝集槽部１ａ内に満たされる上記反応水の水面下に位置させかつ上記水出口７の上流側を仕切るように設けてある。
【００１５】
また、水出口７は、下部７ａを水面下に位置させかつ上端７ｂより上澄水が越流するように構成された有底の集水溝８と、この集水溝８に越流した上澄水を槽外に排出する排出口９（図５参照）とからなる。集水溝８の底部８ａは、反応水受槽４側から排出口９方向に低く傾斜するようにして、上澄水を自然に排出口９に導けるようにしてある。また、集水溝８の鋸刃状に形成した上記上端７ｂは、仕切板５の上端５ｂ（図２、図３参照）より低くしてある。
【００１６】
また、抜取口６は、その呑み口の中央付近に油の液面が位置するように配置されており、反応水受槽４寄りの仕切板５並びに集水溝８の側壁近傍及び凝集槽部１ａの外壁部１１を貫くように水平に設けたパイプ１０と、凝集槽部１ａの外側のパイプ１０に設けたコック１２とからなる。
【００１７】
さらに、凝集槽部１ａ内の上記仕切板５で囲繞した部分の下方には、多数の傾斜板１９（図２、 図４参照）が設けられていて、上記反応水に含まれる汚泥フロックが浮上するのを受け止めて、汚泥の塊とし沈降させることができるようにしてある。
【００１８】
上述のような構成からなる油分除去装置２を備えた凝集槽１を、凝集反応槽３の下流側に設けることによって、凝集反応槽３から反応水受槽４内に流入された反応水は、反応水受槽４の下部から凝集槽部１ａに流入する。
【００１９】
凝集槽部１ａに流入した反応水の中に含まれる油分は、比重が水より軽いために浮上する。一方、汚泥フロックは傾斜板１９によって浮上を妨げられて、再び塊となって沈降する。沈降した汚泥の塊等は、排出装置（図４に示すスクリュウコンベヤ）などに因って槽外に排出される。
【００２０】
一方、傾斜板１３を通過して水面上に浮上した油分は、仕切板５で囲繞された内側に漂う。この油分は、抜取口６のパイプ１０からコック１２を開とすることにより槽外に排出されることになる。
【００２１】
抜取口６から油分の除去された上澄水は、集水溝８の上端７ｂから集水溝８内に流入し、自然に排出口９方向に導かれて凝集槽１から油分の除去された水として排出されていく。
【００２２】
なお、本発明の油分除去装置においては、浮上する油分を囲繞できれば、仕切板５を上記のようにコ字状にすることなく、如何なる枠形状にするも自由である。すなわち、水出口７の上流側を仕切ることができればよく、たとえば、水出口７を排出口９のみとし、排出口９の上流側を仕切るように仕切板５を設けるように構成してもよい。
【００２３】
次に本発明の濁水の処理装置（図５参照）について説明する。なお、この処理装置を構成する濁水の貯留槽の一例である凝集槽１に設けられている油分除去装置２については、上記した構成と同様であり、その説明を省略する。
【００２４】
そこで、この処理装置において、上記抜取口６の下流には油分の吸着部１３が設けられている。この吸着部１３は、内部に複数（図示の例では２枚）の吸着マット１４を設けたタンクである。
【００２５】
凝集槽１から抜き取られた油分の多く含む水は、この吸着部１３に導かれる。吸着部１３に導かれた水に多量に含まれる油分は、吸着マット１４に吸着される。
【００２６】
吸着部１３で油分を除去された水は、上記凝集槽１に戻す分離水返送部１８に導かれる。この分離水返送部１８は、原水槽１５、中和装置１６からなる。上記吸着部１３の油分を除去された水は、原水槽１５に導かれ、原水槽１５に沈めたポンプ１７によって中和装置１６から各凝集槽１の凝集反応槽３に導かれる。
凝集反応槽３に導かれた水は、再び各凝集槽１に設けた油分除去装置２によって、さらに油分が除去される。なお、原水槽１５および中和装置１６を介さずに、直接、分離水返送部１８から凝集反応槽３に導くようにしてもよい。
【００２７】
このように上記処理装置によって油分の混ざった濁水を繰り返し処理して上澄水を排出することにより、この上澄水からなる放流処理水には、殆ど油分が含んでいない。したがって、上記処理装置を備えた濁水処理プラントで処理した放流処理水を外部に放出しても、河川等を汚染して公害問題を引き起こすといった懸念はない。
【００２８】
【発明の効果】
このように本発明の濁水の油分除去装置は、構成簡単にして濁水に含まれる油分を効果的に除去することができる。また、従来のように油分の吸着マットを貯留槽内に設ける必要もないので、油分除去効果が時間経過とともに低減するといったこともなく、しかも従来に比べ貯留槽の維持・管理を容易に行ことができる。
【００２９】
また、本発明の濁水の油分除去装置では、上澄水のみを急激な流れをつくることなく広範囲から取ることができ、処理効率を向上させることができる。
【００３０】
また、本発明の濁水の処理装置では、貯留槽に導かれた油分の混ざった濁水から、油分を上澄水とともに抜き取り、この水から油分を吸着部等で除去し、再び上記貯留槽に導に導いて油分除去装置で油分を除去するといった処理を繰り返し、貯留槽から油分の含まない水を放流するので、公害問題の生じることのない綺麗な水を自然界に戻すことができる。
【００３１】
【図面の簡単な説明】
【図１】本発明の濁水の油分除去装置の平面図である。
【図２】図１のＡ矢視の説明図である。
【図３】図１のＢ矢視の説明図である。
【図４】油分と濁水の流れを示す凝集槽の説明図である。
【図５】本発明の濁水の処理装置の説明図である。
【符号の説明】
１      凝集槽（貯留槽）
２      油分除去装置
５      仕切板
６      抜取口
７      水出口
８      集水溝
９      排出口
１３      吸着部
１８      分離水返送部
【図１】
0004274657.tif 000002
【図２】
0004274657.tif 000003
【図３】
0004274657.tif 000004
【図４】
0004274657.tif 000005
【図５】
0004274657.tif 000006